(57)【要約】【課題】  垂れ幕本体の張力を部分的にきめ細かく調整できるようにする。【解決手段】  天井部ａに対し略垂下状に設けられる防煙垂れ幕１において、略環状に構成された固定枠１０と、固定枠１０に対し枠外方向へ移動するように係合した可動枠２０と、可動枠２０の枠内側に止着された可撓性の垂れ幕本体３０と、固定枠１０と可動枠２０の間に設けられて固定枠１０を枠外方向へ引っ張る可動枠引張手段４０とを備えた。【選択図】  図１
2013240366.tif 000002
【特許請求の範囲】
【請求項１】
天井部に対し略垂下状に設けられる防煙垂れ幕において、略環状に構成された固定枠と、前記固定枠に対し枠外方向へ移動するように係合した可動枠と、前記可動枠の枠内側に止着された可撓性の垂れ幕本体と、前記固定枠と前記可動枠の間に設けられて前記可動枠を枠外方向へ引っ張る可動枠引張手段とを備え、前記可動枠引張手段により前記可動枠を枠外方向へ引っ張ることで前記垂れ幕本体を引き張るようにしたことを特徴とする防煙垂れ幕。
【請求項２】
前記可動枠引張手段は、回転操作可能な調節ネジを備え、この調節ネジを、前記固定枠に対し回転可能であって且つ枠内方向へ移動不能に支持するとともに、前記可動枠に螺合させていることを特徴とする請求項１記載の防煙垂れ幕。
【請求項３】
前記固定枠を複数の固定枠構成部材によって矩形枠状に構成するとともに、記可動枠を複数の可動枠構成部材によって前記固定枠の枠内側に位置する矩形枠状に構成したことを特徴とする請求項１又は２記載の防煙垂れ幕。
【請求項４】
前記垂れ幕本体の上端側を上辺側の前記可動枠構成部材に止着するとともに同垂れ幕本体の下端側を下辺側の前記可動枠構成部材に止着し、前記可動枠引張手段を前記固定枠及び前記可動枠の上辺側と下辺側にそれぞれ配設したことを特徴とする請求項３記載の防煙垂れ幕。
【請求項５】
前記垂れ幕本体の左端側を左辺側の前記可動枠構成部材に止着するとともに同垂れ幕本体の右端側を右辺側の前記可動枠構成部材に止着し、前記可動枠引張手段を前記固定枠及び前記可動枠の左辺側と右辺側にそれぞれ配設したことを特徴とする請求項３又は４記載の防煙垂れ幕。
【請求項６】
前記垂れ幕本体を引っ張る方向と平行する方向へ連続する支持部材が設けられ、
前記支持部材は、前記固定枠に対し枠外方向へ移動しないように係合するとともに、前記可動枠に対しては枠内外方向へ自在に移動するように係合していることを特徴とする請求項１乃至５何れか１項記載の防煙垂れ幕。
【発明の詳細な説明】
【技術分野】
【０００１】
本発明は、火災時等の生じる煙の拡散を防ぐために天井等に設置される防煙垂れ幕に関するものである。
【背景技術】
【０００２】
従来、建築・構造物の室内における天井側に設けられる防煙垂れ幕は、視野を妨げないことや、室内灯の光を遮らないこと、意匠性が良好なこと等の観点から、板ガラスが用いられることが多かった。しかし、板ガラスは、高重量で破損のおそれがあるため、運搬や施工、保管の際に注意を要する上、万が一、地震等の災害により落下した場合に衝撃が大きい。
そこで、近年では、万が一に落下した場合でも、その落下による衝撃を軽減するように、垂れ幕の材質として、可撓性のシート材を用いる場合がある。しかし、可撓性のシート材を用いた防煙垂れ幕では、シート材が皺になったり撓んだりして、防煙性能や外観上の体裁が低下してしまうおそれがある。
そこで、例えば、特許文献１に記載される従来技術では、一対の長辺枠材（２ａ）と一対の短辺枠材（２ｂ）と、これら枠材内に取り付けられたガラス繊維シート（３）と、一対の長辺枠材（２ａ）間に配置されるとともに両端にねじ（１１ａ，１１ｂ）を有する複数の支柱（１１）とを備え、前記支柱（１１）両端のねじ（１１ａ，１１ｂ）を、それぞれ長辺枠材（２ａ）にねじ込み、複数の前記支柱（１１）を、一対の長辺枠材（２ａ）間でつっかえ棒として作用させるようにしている。この従来技術によれば、各支柱（１１）の両端のねじ（１１ａ，１１ｂ）のねじ込み量を調整することにより、一対の長辺部材（２ａ）間を広くして、ガラス繊維シート（３）の弛みや皺を解消することができる。
【０００３】
ところで、前記従来技術では、横幅方向に間隔を置いて配置された複数の支柱（１１）をそれぞれ回すことにより、一対の長辺部材（２ａ）間を調整する構造であるため、支柱（１１）の数を、ある程度多くしないと、ガラス繊維シート（３）が長手方向において部分的に弛みや皺を生じてしまうおそれがある。しかしながら、支柱（１１）の数をあまり多くしてしまうと、枠全体の重量が増して、万が一落下した場合の衝撃が大きくなってしまう。
また、前記従来技術では、上下方向にわたる支柱（１１）によって上下の長辺部材（２ａ）間を調整する構造であるため、ガラス繊維シート（３）の横幅方向においては、張り具合を調整することができない。このため、ガラス繊維シート（３）の横幅方向の伸び等に起因して弛みや皺が生じた場合には、これを解消できないおそれがある。
【先行技術文献】
【特許文献】
【０００４】
【特許文献１】特開２００７−１１７４７１号公報
【発明の概要】
【発明が解決しようとする課題】
【０００５】
本発明は、上記従来事情に対処することを課題の一例とするものである。すなわち、万が一落下した場合の衝撃を軽減できること、枠全体を軽量化できること、可撓性の垂れ幕本体の皺や弛みを容易に調整できること、垂れ幕本体の張力を部分的にきめ細かく調整できること、垂れ幕本体の横幅方向の張力も調整できること等、が本発明の目的である。
【課題を解決するための手段】
【０００６】
上記課題を解決するための一手段は、天井部に対し略垂下状に設けられる防煙垂れ幕において、略環状に構成された固定枠と、前記固定枠に対し枠外方向へ移動するように係合した可動枠と、前記可動枠の枠内側に止着された可撓性の垂れ幕本体と、前記固定枠と前記可動枠の間に設けられて前記可動枠を枠外方向へ引っ張る可動枠引張手段とを備え、前記可動枠引張手段により前記可動枠を枠外方向へ引っ張ることで前記垂れ幕本体を引き張るようにしたことを特徴とする。
【発明の効果】
【０００７】
本発明は、以上説明したように構成されているので、万が一落下した場合の衝撃を軽減できること、枠全体を軽量化できること、可撓性の垂れ幕本体の皺や弛みを容易に調整できること、垂れ幕本体の張力を部分的にきめ細かく調整できること、垂れ幕本体の横幅方向の張力も調整できること等、が本発明の目的を達成することができる。
【図面の簡単な説明】
【０００８】
【図１】本発明に係る防煙垂れ幕の一例を示す正面図である。
【図２】同防煙垂れ幕の片半部側の要部正面図である。
【図３】縦横の固定枠の止着構造を示す要部拡大図である。
【図４】可動枠及び垂れ幕本体等の組立構造を示す断面図である。
【図５】図２における（V）‐（V）線に沿って可動枠及び固定枠等の組立構造を示す断面図である。
【図６】図１における（VI）‐（VI）線に沿う断面構造であり、可動枠及び固定枠を天井部に止着する手順を、（ａ）〜（ｃ）に示している。
【図７】図１における（VII）‐（VII）線に沿う断面図である。
【図８】図１における（VIII）‐（VIII）線に沿う断面図である。
【図９】本発明に係る防煙垂れ幕の他例について、枠と不動部位との間の構造を示す要部断面図である。
【発明を実施するための形態】
【０００９】
本実施の形態の第一の特徴としては、天井部に対し略垂下状に設けられる防煙垂れ幕において、略環状に構成された固定枠と、前記固定枠に対し枠外方向へ移動するように係合した可動枠と、前記可動枠の枠内側に止着された可撓性の垂れ幕本体と、前記固定枠と前記可動枠の間に設けられて前記可動枠を枠外方向へ引っ張る可動枠引張手段とを備え、前記可動枠引張手段により前記可動枠を枠外方向へ引っ張ることで前記垂れ幕本体を引き張るようにした。
この構成によれば、垂れ幕本体を止着した可動枠を、可動枠引張手段によって固定枠を基準に前記枠外方向へ引っ張れば、垂れ幕本体が引き張られ、該垂れ幕本体の皺や弛み等の解消することができる。しかも、可動枠引張手段を固定枠と可動枠の間に配置した構成であるため、従来技術のような回転操作される支柱を上下辺間にわたって長尺状に設ける必要がなく、枠全体を軽量化して、万が一落下した場合の衝撃を軽減することができる。その上、可動枠引張手段を横幅方向へ複数設ければ、垂れ幕本体の張力を部分的にきめ細かく調整することができる。また、可動枠引張手段を横幅方向の端部側に設けて可動枠を横幅方向へ引っ張るようにすれば、垂れ幕本体の横幅方向の張力も調整することができる。
なお、前記「略環状」には、矩形状の環状、三角形状の環状、多角形状の環状、円環状等を含む。また、前記可動枠の形状は限定されず、この可動枠には、略環状の態様、棒状の態様、その他の形状のものを含む。
【００１０】
また、本実施の形態の第二の特徴として、前記可動枠引張手段は、回転操作可能な調節ネジを備え、この調節ネジを、前記固定枠に対し枠内方向へ移動しないように支持するとともに、前記可動枠に螺合させている。
この構成によれば、調節ネジを回転操作して可動枠にねじ込ませれば、可動枠が枠外方向へ移動し、該可動枠に止着された垂れ幕本体が引き張られる。
なお、「回転操作可能な調節ネジ」には、後端側にドライバーや六角レンチ等の回転操作治具を嵌合可能な頭部を有するネジやボルト、あるいは蝶ネジ等を含む。
【００１１】
また、本実施の形態の第三の特徴は、前記固定枠を複数の固定枠構成部材によって矩形枠状に構成するとともに、前記可動枠を複数の可動枠構成部材によって前記固定枠の枠内側に位置する矩形枠状に構成した。
【００１２】
また、本実施の形態の第四の特徴は、前記垂れ幕本体の上端側を上辺側の前記可動枠構成部材に止着するとともに同垂れ幕本体の下端側を下辺側の前記可動枠構成部材に止着し、前記可動枠引張手段を前記固定枠及び前記可動枠の上辺側と下辺側にそれぞれ配設した。
この構成によれば、上辺側と下辺側のそれぞれにおいて、可動枠引張手段によって可動枠構成部材を固定枠構成部材に対し枠外方向へ移動させれば、可動枠構成部材に止着された垂れ幕本体を上下方向へ引き張ることができる。
【００１３】
また、本実施の形態の第五の特徴は、前記垂れ幕本体の左端側を左辺側の前記可動枠構成部材に止着するとともに同垂れ幕本体の右端側を右辺側の前記可動枠構成部材に止着し、前記可動枠引張手段を前記固定枠及び前記可動枠の左辺側と右辺側にそれぞれ配設した。
この構成によれば、左辺側と右辺側のそれぞれにおいて、可動枠引張手段によって可動枠構成部材を固定枠構成部材に対し枠外方向へ移動させれば、可動枠構成部材に止着された垂れ幕本体を左右方向へ引き張ることができる。
【００１４】
また、本実施の形態の第六の特徴としては、前記垂れ幕本体を引っ張る方向と平行する方向へ連続する支持部材が設けられ、前記支持部材は、前記固定枠に対し枠外方向へ移動しないように係合するとともに、前記可動枠に対しては枠内外方向へ自在に移動するように係合している。
この構成によれば、垂れ幕本体の張力により可動枠が枠内側へ移動するとともに固定枠も枠内側へ撓もうとするのを、支持部材によって抑制することができる。
【００１５】
また、本実施の形態の他の特徴としては、天井部に対し略垂下状に設けられる防煙垂れ幕において、略環状の枠（図９に示す一例によれば、固定枠１０及び可動枠２０）と、該枠の枠内側に止着された垂れ幕本体と、前記枠の左右方向における枠外側に設けられた可撓性の振動吸収幕とを備え、前記振動吸収幕は、左右方向の一端側を前記枠に止着するとともに、その他端側を、不動部位に止着した状態で、撓みを有するように設けられている。
ここで、前記不動部位は、例えば、当該防煙垂れ幕の設置対象である躯体壁面や、該躯体壁面に止着された部材等とすればよい。
この構成によれば、地震等の災害時の振動によって、躯体壁面や枠等が振動した場合でも、その振動を可撓性の振動吸収幕によって吸収することができ、ひいては、前記振動によって前記枠や該枠内の垂れ幕本体等が破損するのを防ぐことができる。
【００１６】
次に、上記形態の特に好ましい実施例を、図面に基づいて詳細に説明する。
【実施例】
【００１７】
図１は、本発明に係る防煙垂れ幕１及び該防煙垂れ幕１の設置構造Ａを示している。
この防煙垂れ幕１は、図示例によれば、天井部ａと、該天井部ａに対し略垂直な左右の壁部ｂ，ｂとで囲まれたコ字状の部分に、略垂下状に設置される。なお、図１に示す一例では、防煙垂れ幕１を横幅方向に２つ設けるようにしているが、防煙垂れ幕１を単数又は３以上設けることも可能である。
【００１８】
各防煙垂れ幕１は、略環状に構成された固定枠１０と、固定枠１０に対し枠外方向へ移動するように係合した可動枠２０と、可動枠２０の枠内側に止着された可撓性の垂れ幕本体３０と、固定枠１０と可動枠２０の間に設けられて可動枠２０を枠外方向へ引っ張る可動枠引張手段４０とを具備してなる（図２及び図５参照）。
横幅方向に並ぶ複数（図示例によれば２つ）の防煙垂れ幕１は、天井側支持枠５０（図６参照）、壁側支持枠６０（図７参照）、及び連結支持枠７０（図８参照）を介して固定される。
【００１９】
固定枠１０は、複数（図示例によれば４つ）の固定枠構成部材１１，１２から矩形枠状に構成される。
これら固定枠構成部材１１，１２の各々は、例えばアルミニウム合金材料等から成形された長尺部材である。図２に示す防煙垂れ幕１では、横方向へ延設された略平行な二本の固定枠構成部材１１，１１と、これら固定枠構成部材１１，１１の両端部側で上下方向へ延設された略平行な二本の固定枠構成部材１２，１２と具備している。
【００２０】
横方向の各固定枠構成部材１１は、図５に示すように、長手方向へ連続する断面略凹状に形成され、可動枠２０を枠内側から挿入可能な凹部１１ａと、該凹部１１ａの底面を貫通する貫通孔１１ｂと、当該固定枠構成部材１１の撓みを抑制する補強リブ１１ｃ，１１ｃとを有する。
【００２１】
凹部１１ａは、固定枠構成部材１１の長手方向へ連続する略凹溝状に形成され、その溝幅を可動枠２０の厚み（図５における左右方向の寸法）よりも若干大きく設定している。
この凹部１１ａの底部壁には、長手方向へ連続する貫通孔１１ａ１が形成され、該貫通孔１１ａ１の端部には雌ネジ部（図示せず）が形成される。縦方向の固定枠構成部材１１と横方向の固定枠構成部材１２とは、図３に示すように、その一方の枠構成部材１１に挿通される止着具１３（例えばボルトやネジ等）が、他方の枠構成部材１２の前記雌ネジ部に螺合されることで、一体矩形枠状の固定枠１０として構成される。
【００２２】
固定枠構成部材１１の貫通孔１１ｂは、後述する可動枠引張手段４０を構成する調節ネジ４１を、回転可能であって且つ枠内方向へ移動不能に支持するように形成され、より具体的に説明すれば、調節ネジ４１のネジ部を遊挿可能であって、且つ同調節ネジ４１の頭部を挿通不能な大きさの貫通孔に形成される。
【００２３】
固定枠構成部材１１の補強リブ１１ｃは、固定枠構成部材１１の横断面において、凹部１１ａと反対側の斜め方向へ突出する突起状に形成され、図示例によれば固定枠１０の厚さ方向（図５の左右方向）の一方側と他方側に配置される。
この補強リブ１１ｃは、前記のようにして斜め方向へ突出することで、固定枠構成部材１１の厚さ方向の撓みと、該厚さ方向に直交する方向（図５によれば上下方向）の撓みとの双方を抑制し、特に、調節ネジ４１によって可動枠２０を引っ張った際における当該固定枠構成部材１１の変形を抑制する。
【００２４】
縦方向の固定枠構成部材１２は、前記した横方向の固定枠構成部材１１と同様に構成され、凹部１２ａと、該凹部１２ａの底面を貫通する貫通孔１２ｂと、補強リブ１２ｃ，１２ｃとを有する（図７及び８参照）。
【００２５】
可動枠２０は、複数（図示例によれば４つ）の可動枠構成部材２１，２２から矩形枠状に構成される（図２参照）。
これら可動枠構成部材２１，２２の各々は、例えばアルミニウム合金材料等から成形された長尺部材である。図示例の可動枠２０は、横方向へ延設された略平行な二本の可動枠構成部材２１，２１と、これら可動枠構成部材２１，２１の両端部側で上下方向へ延設された略平行な二本の可動枠構成部材２２，２２とから構成される。
【００２６】
横方向の可動枠構成部材２１は、図４及び５に示すように、長手方向へ連続する断面略凹状に形成され、固定枠構成部材１１に対し開口部を向けた凹部２１ａと、該凹部２１ａ内の側壁に形成された雌ネジ部２１ａ１と、当該固定枠構成部材１２を枠内外方向（図５によれば上下方向）へ貫通して支持部材２３を挿通する貫通孔２１ｂとを有する。
凹部２１ａは、可動枠構成部材２１の長手方向へ連続して設けられる。
雌ネジ部２１ａ１は、凹部２１ａの開口側から挿入される調節ネジ４１を螺合するように、凹部２１ａ内の側壁に形成されている。
貫通孔２１ｂは、支持部材２３を枠内外方向へ自在に移動するように遊挿する孔である。
【００２７】
縦方向の可動枠構成部材２２は、可動枠構成部材２１と同様にして、凹部２２ａと、該凹部２２ａ内の側壁に形成された雌ネジ部２２ａ１とを有する（図７及び８参照）。なお、この可動枠構成部材２２には、支持部材を貫通させるための貫通孔は設けられない。
【００２８】
支持部材２３は、金属等の剛性材料からなる棒状の部材であり、可動枠２０の上下方向の全長よりも若干長め、又は該全長と略同等の長さに形成される。この支持部材２３は、その両端部側が上下の可動枠構成部材２１，２１に遊挿され、各先端部を、固定枠構成部材１１における凹部１１ａ内の底部（図５によれば貫通孔１１ａ１よりも可動枠２０側の底部）に当接させる。
そして、この支持部材２３は、上下の可動枠構成部材２１，２１の間において、横幅方向へ所定間隔（図２によれば略等間隔）を置いて、複数（図示例によれば２つ）設けられる。
【００２９】
垂れ幕本体３０は、可撓性を有する難燃性（より好ましくは耐火性）のシート材を、横幅方向へ長尺な平面視矩形状に形成してなる。この垂れ幕本体３０の材質は、例えば、ガラスクロスや、シリカクロス、フッ素加工を施した塩化ビニル樹脂シート材、ガラス繊維を含んだ合成樹脂シート材等とすること可能である。この垂れ幕本体３０は、視野を妨げないことや、室内灯の光を遮らないこと、意匠性が良好なこと等の観点から、特に好ましくは、透明又は半透明のシート材によって形成される。
【００３０】
次に、本実施例の防煙垂れ幕１について、その組立手順及び設置手順を説明しながら、より詳細な構造を説明する。
【００３１】
上記構成の垂れ幕本体３０は、図４に示すように、その一方の面に両面テープ３１（又は図示しない接着剤）を介して、可動枠２０（詳細には可動枠構成部材２１，２２）の厚さ方向の端面に止着される。
より詳細に説明すれば、垂れ幕本体３０の上端側が上辺側の可動枠構成部材２１に止着されるとともに同垂れ幕本体３０の下端側が下辺側の可動枠構成部材２１に止着される。また、垂れ幕本体３０の左端側が左辺側の可動枠構成部材２２に止着されるとともに同垂れ幕本体３０の右端側を右辺側の可動枠構成部材２２に止着される。
【００３２】
そして、図５（ａ）（ｂ）に示すように、垂れ幕本体３０及び該垂れ幕本体３０が止着された可動枠２０に対し、その枠外側から、固定枠１０が装着される。より詳細に説明すれば、各可動枠構成部材２１，２２に対し、枠外側から対応する固定枠構成部材１１，１２が覆い被せられる。この際、垂れ幕本体３０における可動枠構成部材２１に対する接着箇所が、固定枠構成部材１１の凹部１１ａ内面に押圧される。したがって、該接着箇所が剥がれるのを防ぐことができる。
そして、固定枠１０に対し枠外側から調節ネジ４１が挿入されることで、各可動枠構成部材２１，２２と各固定枠構成部材１１，１２との間には、可動枠引張手段４０が構成される。
【００３３】
可動枠引張手段４０は、固定枠１０と可動枠２０の間に設けられて可動枠２０を枠外方向へ引っ張るように構成され、図示例によれば、先端側に雄螺子部を有するとともに後端側に回転操作可能な頭部を有する調節ネジ４１を、枠外側から固定枠構成部材１１，１２に挿通して可動枠構成部材２１，２２に螺合してなる。
この構成によれば、調節ネジ４１の頭部が回転操作治具（例えばドライバーや六角レンチ等）により回転操作されることで、可動枠構成部材２１，２２を固定枠構成部材１１，１２に対し接近離隔させることができる。したがって、可動枠構成部材２１，２２に止着された垂れ幕本体３０は、可動枠引張手段４０の調整により、その張力が調整可能である。
【００３４】
この可動枠引張手段４０は、図２に示すように、固定枠１０及び可動枠２０の外周側において、上辺側と下辺側と左辺側と右辺側とに、それぞれ各枠構成部材の長手方向へ間隔を置いて複数設けられる。
図２に示す一例によれば、横方向においては、その中央側の可動枠引張手段４０の数（図示例によれば３箇所）を、その両端側の可動枠引張手段４０の数（図示例によれば２箇所）よりも多く設定し、特に横幅方向の中央側に生じる弛みや皺を解消するようにしている。また、縦方向においては、固定枠構成部材１２及び可動枠構成部材２２の上下方向の略中央寄りと上端寄りと下端寄りの箇所に、それぞれ可動枠引張手段４０を設けて、上下方向で略均等に弛み及び皺が解消されるようにしている。
【００３５】
垂れ幕本体３０に弛みや皺が生じた場合には、その弛みや皺の近くの可動枠引張手段４０が調整されることで、垂れ幕本体３０が引き張られる。
より詳細に説明すれば、前記弛みや皺の近くの調節ネジ４１が締め付けられると、該調節ネジ４１の先端側が対応する可動枠構成部材２１，２２にねじ込まれ、可動枠構成部材２１，２２が固定枠構成部材１１，１２側へ引っ張られる。この際、特に、長尺な横幅方向においては、固定枠構成部材１１が枠内側へ弓型に撓んで変形しようとするが、この変形を、上下の固定枠構成部材１１，１１間に設けられた支持部材２３によって抑制することができる。
【００３６】
そして、上記のようにして引き張られた垂れ幕本体３０、可動枠２０及び固定枠１０等は、図６に示すように、天井部ａに対しブラケット５２等（例えば、既設されていたガラス垂れ壁を吊る下地である型材等）を介して固定された天井側支持枠５０に対し、その下方側から嵌め込まれる。
より詳細に説明すれば、先ず、固定枠１０の上下端部には、化粧枠１４が固定される。
化粧枠１４は、固定枠構成部材１１を断面略コ字状に覆う数センチ程度の長さの部材であり、固定枠構成部材１１の長手方向において間隔を置いて数カ所（例えば、両端側と中央側の３箇所）に配設される。この化粧枠１４の装着状態において、上側の化粧枠１４の下端部と、固定枠構成部材１１の外面との間には、該枠の厚みを上方へ向かって厚くするように、段部１４ａが形成される。
なお、化粧枠１４を固定枠構成部材１１に対し止着する手段は、図示例によれば、止着具１５（例えば、ネジやボルト等）を用いているが、嵌合や接着等、他の止着手段とすることも可能である。また、他例としては、化粧枠１４を固定枠構成部材１１の長手方向へわたる単数の長尺状部材とすることも可能である。
【００３７】
そして、図６（ｂ）に示すように、防煙垂れ幕１が、天井側支持枠５０内へ挿入される。
天井側支持枠５０は、下方を開口した断面コ字枠状の部材であり、横幅方向へ延設されている。この天井側支持枠５０内の下端側には、防煙垂れ幕１の厚み方向へ突出して対向するように、突起５１，５１が形成されている。この天井側支持枠５０は、ブラケット５２及び止着具５３（例えばネジやボルト等）を介して天井部ａに固定されている。
【００３８】
したがって、天井側支持枠５０内へ挿入された防煙垂れ幕１は、その上端側の段部１４ａが、前記両突起５１，５１に係止され、容易に落下することのないように仮止めされる。
そして、図６（ｃ）に示すように、天井側支持枠５０に対し止着具１６（例えば、ネジやボルト等）が挿入され、該止着具１６が、化粧枠１４と固定枠構成部材１１に挿通及び螺合されることで、防煙垂れ幕１は落下不能に固定される。
【００３９】
図１に示す一例では、天井部ａに対し、横幅方向へ並ぶように複数（図示例によれば２つ）の防煙垂れ幕１が吊持される。隣り合う防煙垂れ幕１，１の間は、図８に示すように、連結支持枠７０によって隙間なく連結される。
連結支持枠７０は、凹部７１，７２を背中合わせにした断面略Ｈ状の部材であり、縦方向の固定枠構成部材１２の略全長にわたるように設けられる。
図示例によれば、一方（図８によれば左側）の凹部７１には、一方の防煙垂れ幕１の固定枠構成部材１２が挿入される。そして、凹部７１と固定枠構成部材１２とは、止着具１７（例えば、ネジやボルト等）によって固定される。
また、他方（図８によれば右側）の凹部７２には、他方の防煙垂れ幕１の固定枠構成部材１２が挿入される。
なお、各防煙垂れ幕１は上端部が天井側支持枠５０に止着されているため、前記止着具１７は省くことが可能である。
【００４０】
また、各防煙垂れ幕１の左右端部は、それぞれ、図７に示すように、壁部ｂに固定された断面凹状の壁側支持枠６０の内部に嵌め合せられる。
壁側支持枠６０は、上下方向において固定枠構成部材１２の略全長にわたる断面凹状の部材であり、その底部側が止着具１８（例えばネジやボルト等）によって壁部ｂに固定されている。
【００４１】
また、図７及び図８に示す好ましい一例によれば、固定枠１０の横幅方向の端部（詳細には固定枠構成部材１２）と壁側支持枠６０の底部との間、及び、防煙垂れ幕１と連結支持枠７０における凹部７２の底部との間に、それぞれ、空間Ｓが確保されている。
この空間Ｓは、地震等によって防煙垂れ幕１や、天井部ａ、壁部ｂが揺さ振られた場合に、その際の振動を吸収して、防煙垂れ幕１が該防煙垂れ幕１を支持する箇所が破損してしまうのを防ぐ。
【００４２】
よって、上記構成の防煙垂れ幕１及び該防煙垂れ幕１の設置構造Ａによれば、固定枠１０に止着された垂れ幕本体３０に弛みを生じた場合には、可動枠２０を、可動枠引張手段４０によって固定枠１０を基準に前記枠外方向へ引っ張れば、可動枠２０と共に垂れ幕本体３０も引き張られ、該垂れ幕本体３０の皺や弛み等の解消することができる。
しかも、簡素構造の可動枠引張手段４０を固定枠１０と可動枠２０の間に配置した構成であるため、この可動枠引張手段４０を複数設けたとしても、重量の増加は比較的少なくて済み、ひいては、防煙垂れ幕１が万が一落下した場合でもその衝撃を軽減することができる。
その上、可動枠引張手段４０を横幅方向へ複数設けるようにしているため（図２参照）、垂れ幕本体３０の上下方向の張力を横幅方向へわたってきめ細かく調整することができ、ひいては、可動枠引張手段４０の横幅方向の全長にわたって皺や弛みが生じるのを防ぐことができる。
また、可動枠引張手段４０を横幅方向の端部側にも上下方向に間隔を置いて複数設けているので、上下方向においても、可動枠引張手段４０の横幅方向の張力をきめ細かく調整することができる。
【００４３】
次に、防煙垂れ幕１の設置構造の他例について、図９に基づいて説明する。
図９に示す防煙垂れ幕１の設置構造Ｂは、上述した設置構造について一部を変更したものであるため、主に、その変更部分についての詳細に説明し、重複する説明は省略する。
【００４４】
図９に示す防煙垂れ幕１の設置構造Ｂでは、天井部ａに対し略垂下状に防煙垂れ幕１を設けた防煙垂れ幕の設置構造であって、上記構成の防煙垂れ幕１と、該防煙垂れ幕１の上下方向の固定枠構成部材１２を支持する支持枠８１と、該支持枠８１によって横幅方向の一端側が支持された振動吸収膜８２と、該振動吸収膜８２における横幅方向の他端側を壁部ｂに止着する止着部材８３とを備えている。
【００４５】
支持枠８１は、上方方向において固定枠構成部材１２の略全長にわたる部材であり、その横幅方向の一端側に、固定枠構成部材１２に対し断面凹状に嵌り合う凹部８１ａを有し、他端側に、振動吸収膜８２の端部に対し断面略Ｃ字状に嵌り合う凹部８１ｂを有する。この支持枠８１は、凹部８１ｂに対し外側から挿入された止着具８１ｃ（例えばネジやボルト等）によって固定枠構成部材１２に対し不動に止着される。
【００４６】
また、振動吸収膜８２は、防煙垂れ幕１の上下方向の全長にわたるとともに、横幅方向に撓みを有する状態で設けられた可撓性のシート材である。このシート材は、例えば、垂れ幕本体３０と同材質のシート材を用いればよい。
そして、振動吸収膜８２における横幅方向の一端側と他端側には、それぞれ上下方向へわたる止着バー８２ａ，８２ｂが接続されている。一方の止着バー８２ａは、止着部材８３における凹部８１ｂに対し横幅方向へ抜けることのないように嵌合される。また、他方の止着バー８２ｂは、後述する止着部材８３に対し横幅方向へ抜けることのないように嵌合される。
【００４７】
止着部材８３は、防煙垂れ幕１の上下方向の全長にわたる断面略Ｃ字状の部材であり、その内部に前記止着バー８２ｂを嵌め合せた状態で、壁部ｂに対し、止着具８４（例えばネジやボルト等）によって固定されている。
【００４８】
よって、図９に示す防煙垂れ幕１の設置構造Ｂによれば、地震等により、天井部ａや壁部ｂ、防煙垂れ幕１等が揺さ振られた場合であっても、その際の振動を撓みを有する振動吸収膜８２によって吸収することができ、ひいては、防煙垂れ幕１や防煙垂れ幕１の接続箇所が破損するのを防ぐことができる。なお、振動吸収膜８２が、垂れ幕本体３０と同様に、火災時の煙の蔓延を防ぐのは勿論のことである。
【００４９】
なお、上記実施例によれば、可動枠２０を固定枠１０の枠内側に配置するようにしたが、可動枠２０は固定枠１０に対し枠外方向へ移動するように係合していればよく、他例としては、固定枠１０の厚さ方向の端面に、可動枠２０を枠外方向へ移動可能に嵌め合せた態様等とすることが可能である。
【００５０】
また、可動枠引張手段４０は、固定枠１０と可動枠２０との間で可動枠２０を枠外方向へ引っ張る構成であればよく、この可動枠引張手段４０の他例としては、固定枠１０と可動枠２０の間に弾性部材（例えばバネはゴム等）を設け、該弾性部材の弾性によって可動枠２０を枠外方向へ引っ張る構成とすることも可能である。
【００５１】
また、上記実施例によれば、可動枠引張手段４０を横幅方向及び上下方向に複数設けるようにしたが、他例としては、可動枠引張手段４０を、横幅方向において単数設けた態様や、上下方向において単数設けた態様、図示例以外の配置で複数設けた態様等とすることが可能である。
【００５２】
また、上記実施例によれば、固定枠１０及び可動枠２０をそれぞれ矩形枠状に構成したが、他例としては、固定枠１０及び可動枠２０を多角形状やその他の形状に構成することも可能である。
【００５３】
また、上記実施例によれば、可動枠２０を四辺側の可動枠構成部材２１，２２からなる略環状（換言すれば無端輪状）に構成したが、可動枠２０の他例としては、上記構成から左右の可動枠構成部材２２を省き、上下に平行する横方向の可動枠構成部材２１，２１のみからなる態様等とすることも可能である。
【００５４】
また、上記実施例によれば、垂れ幕本体３０の一端側を可動枠２０の一端側に止着するとともに同垂れ幕本体３０の逆端側を可動枠２０の逆端側に止着するようにしたが、この垂れ幕本体３０は少なくとも一端側が可動枠２０によって引っ張られるようにされていればよく、他例としては、垂れ幕本体３０の一端側を可動枠２０の一端側に止着するとともに同垂れ幕本体３０の逆端側を固定枠１０や他の不動部位に止着した構成とすることも可能である。
【００５５】
また、上記実施例によれば、防煙垂れ幕１を平坦面状に設けたが、他例としては、防煙垂れ幕１を曲面状に形成した態様や、防煙垂れ幕１を横長方向の途中箇所で折れ曲がった形状とした態様等とすることも可能である。
【００５６】
また、上記実施例によれば、上下の固定枠構成部材１１，１１の間に支持部材２３を設け、左右の固定枠構成部材１２，１２の間には支持部材２３を設けなかったが、他例としては、左右の固定枠構成部材１２，１２の間に略同構成の支持部材（図示せず）を設けて、上下方向の支持部材２３と横方向の支持部材（図示せず）とが交差する態様とすることも可能である。
【符号の説明】
【００５７】
１：防煙垂れ幕                      １０：固定枠
１１，１２：固定枠構成部材          ２０：可動枠
２１，２２：可動枠構成部材          ２３：支持部材
３０：垂れ幕本体                    ４０：可動枠引張手段
４１：調節ネジ                      ａ：天井部
ｂ：壁部
【図１】
2013240366.tif 000003
【図２】
2013240366.tif 000004
【図３】
2013240366.tif 000005
【図４】
2013240366.tif 000006
【図５】
2013240366.tif 000007
【図６】
2013240366.tif 000008
【図７】
2013240366.tif 000009
【図８】
2013240366.tif 000010
【図９】
2013240366.tif 000011